(57)【要約】      （修正有）【課題】クロスリンク機構による伸縮方向の両端に取り付けられたフレーム同士の間隔調整を、できるだけ少ない作業量で容易かつ安全に行なえるようにし、そのような特定構造の四角形伸縮フレームを構成単位として用いることにより、新たな用途を加えて汎用性を高める、四角形伸縮フレーム及び構造フレームユニットを提供する。【解決手段】クロスリンクさせたリンクアーム４、５の自由端と一体に設けたピン４ａ、５ａをスライド自在に支持したクロスリンク機構を備え、さらにクロスリンク機構の伸縮方向に基端側のフレーム片１と先端側のフレーム片２とを連結する所定長さのロッド６を備え、ロッド６の自由端を長穴１ａに沿ってスライドさせることにより、一対のフレーム片１、２同士の間隔を調整可能な四角形伸縮フレームＡとし、吊り足場や門扉等の伸縮性工作物の構造フレームユニットとして用いる。【選択図】図１
0003235464.tif 000002
【実用新案登録請求の範囲】
【請求項１】
平行に配置される一対のフレーム片と、
前記一対のフレーム片のそれぞれの一端にリンクアームの固定端を回転自在に支持し、前記一対のフレーム片のそれぞれの長手方向に形成した長穴に、クロスリンクさせた前記リンクアームの自由端をスライド自在に支持したクロスリンク機構と、
このクロスリンク機構の伸縮方向に基端側のフレーム片と先端側のフレーム片とを連結する所定長さのロッドと、を備え、
前記先端側のフレーム片の他端に前記ロッドの固定端を回転自在に支持させ、前記基端側のフレーム片の他端から一端方向に延びる長穴に前記ロッドの自由端をスライド可能に支持させ、前記ロッドの自由端のスライドにより前記一対のフレーム片同士の間隔が調整可能であるように構成された四角形伸縮フレーム。
【請求項２】
請求項１に記載の四角形伸縮フレームの１以上を構成単位とし、所要単位を連結して所要長さに構成可能な伸縮性工作物に用いる構造フレームユニット。
【請求項３】
前記伸縮性工作物が、吊り足場である請求項２に記載の伸縮性工作物に用いる構造フレームユニット。
【請求項４】
前記伸縮性工作物が、門扉である請求項２に記載の伸縮性工作物に用いる構造フレームユニット。
【考案の詳細な説明】
【技術分野】
【０００１】
この考案は、建築物の床面や側壁面などを支持可能な四角形伸縮フレーム、及び吊り足場等の仮設建築物や門扉等の伸縮性工作物の構成単位として用いることのできる構造フレームユニットに関するものである。
【背景技術】
【０００２】
一般に、建築物の床面などを支持するクロスリンク機構を利用した四角形伸縮性フレームが知られている。
【０００３】
図７に示す周知の四角形伸縮機構は、床板１２と天板１３の高さ調節などに用いることができるものであり、比較的軽量なアルミ合金や鋼製の金属製パイプ素材等からなる四角形フレームであって、２つの板状フレーム１４の中ほどを回転軸１５で回動自由に結合してＸ字状にクロスリンクさせ、各板状フレーム１４の一端を床板１２または天板１３に対して回転自在な固定端とし、他端をスライド自在な自由端として、交差角度が狭まるほど伸びる伸縮方向の両端に床板１２及び天板１３を支持している。
【０００４】
このような四角形伸縮機構は、油圧シリンダの本体とそのロッドで床板１２と回転軸１５とを連結し、油圧シリンダ１６の伸縮によって、床板１２と天板１３の距離を近づけたり遠ざけたりする高さ調整が可能である。
【０００５】
また、倉庫、体育館、工場などの大規模な中空構造物の天井面等の構築や内部補修工事などの際に設けられる吊り足場は、変形可能な四角形伸縮フレームを用いて構築されている。
【０００６】
図８に示されるように、従来の吊り足場に用いる四角形フレームＣは、長四角状のトラス構造体１７を用いて構成され、２つの長四角状のトラス構造体１７の端部同士は連結部材１８を介して回動可能に連結している。図示した連結部材１８は、棒状本体の両端にフランジを有する糸巻き状の形態であり、隣り合う２本ずつのトラス構造体１７が、９０度の角度間隔で配置されるように連結できるものである。
【０００７】
このような吊り足場の組み立てをする作業者は、一つの連結部材１８を介して２つのトラス構造体１７の一端同士をボルト等で連結し、このような連結を繰り返して、隣り合うトラス構造体１８同士を隣接させると共に、平行四辺形状の四角形フレームＣに組み立てる。
【０００８】
その後、隣り合うトラス構造体１７同士が直交するようにワイヤー１９などを用いて所要方向に四辺を引っ張るなどして正方形状に変形させ、水平方向に連結された複数の四角形フレームＣの上にパネル９を敷いて固定し、所要面積の吊り足場を設けている。
【０００９】
吊り足場の用途としては、例えば大型ボイラのような中空構造物の内壁面を構築または補修する場合に用いられる吊り足場もあり、このような吊り足場の床面を中空構造物の内部形状に応じて拡縮させながら、仮設の支柱に沿って上下に移動させる工法が知られている(特許文献１)。
【００１０】
特許文献１に記載される吊り足場の床面を拡縮させる際には、複数のＸ字状のクロスリンクを備えた伸縮可能なジャバラ構造のシザービームと称される水平方向の支持部材を用い、シザービームを伸ばして中空構造物の内壁面に押し当ててクロスリンク機構の姿勢を安定させ、その上に所要面積の吊り足場を設置するようにしている。
【先行技術文献】
【特許文献】
【００１１】
【特許文献１】特開２０２１−９２１３８号公報
【考案の概要】
【考案が解決しようとする課題】
【００１２】
しかし、上記したシザービームは、中空構造物の内壁面に確実に押し当てるまで延ばさなければ、充分に安定した吊り足場の支持力が得られない。
【００１３】
また、シザービームは、複数のＸ字状のクロスリンクがリンクの軸を水平方向に設置したものであるため、上下方向の荷重変化によってクロスリンクの交差角度が変化し、伸縮しやすいので、形状を安定させて足場の床面の水平方向及び垂直方向の位置を安定させることが容易ではない。
【００１４】
また、図８に示されるような吊り足場の設置工法では、四角形フレームを現場で組み立てるので、多大な労力を要し、作業効率の向上が望めないという問題点がある。
【００１５】
また、このような吊り足場の設置工法は、隣り合うトラス構造体同士が直交するように、ワイヤーなどを用いて所要方向に引っ張って正四角形にフレーム形状を整える作業が必要になるが、そのような作業には熟練を要し、高所では危険が伴う。
【００１６】
さらに、中空構造物や室内の内壁面に沿わせて吊り足場を延長して、壁際にすき間なく四角形フレームを設置しようとする場合、壁面が障害となってフレームの形状を適宜に平行四辺形状に変形させることができないので、設置作業が極めて困難である。
【００１７】
また、仮設の吊り足場の構成部品として油圧シリンダを用いることは、建物にかかる荷重や建設コストが増えるので、吊り足場の設置に実用的な手段とは言えない。
【００１８】
そこで、この考案の課題は、上記した問題点を解決し、建築物の支持や工作物の構成要素に用いられる四角形伸縮フレームについて、クロスリンク機構による伸縮方向の両端に取り付けられたフレーム同士の間隔調整を、できるだけ少ない作業量で、壁際等においても容易かつ安全に行なえるようにし、また特定構造の四角形伸縮フレームに新たな用途を加えることができるように汎用性を高めることである。
【課題を解決するための手段】
【００１９】
上記の課題を解決するために、この考案では、平行に配置される一対のフレーム片と、前記一対のフレーム片の一端にリンクアームの固定端を回転自在に支持し、前記一対のフレーム片の長手方向に形成した長穴にクロスリンクさせた前記リンクアームの自由端をスライド自在に支持したクロスリンク機構と、このクロスリンク機構の伸縮方向に基端側のフレーム片と先端側のフレーム片とを連結する所定長さのロッドと、を備え、前記先端側のフレーム片の他端に前記ロッドの固定端を回転自在に支持させ、前記基端側のフレーム片の他端から一端方向に延びる長穴に前記ロッドの自由端をスライド可能に支持させ、前記ロッドの自由端のスライドにより前記一対のフレーム片同士の間隔を調整可能であるよう構成された四角形伸縮フレームとしたのである。
【００２０】
上記したように構成されるこの考案の四角形伸縮フレームは、クロスリンク機構を伸縮するように駆動させて一対のフレーム片の間隔をロッドの所定長さに応じて広げ、または狭める際、前記一対のフレーム片の一端が、リンクアームの固定端で回転自在に支持されており、所定長さのロッドの両端で先端側のフレームの他端と基端側のフレームの長穴を支持しているので、一対のフレーム片の間隔を、クロスリンク機構の伸縮ストロークとロッドの所定長さに対応させて四角形フレームを形成できる。
【００２１】
前記一対のフレーム片の間隔を調整するには、クロスリンク機構が伸縮する基端側のフレーム片に形成された長穴に支持されるロッドの自由端を、前記長穴に沿ってスライドさせることによって行える。
【００２２】
すなわち、クロスリンク機構を伸縮させる必要がある場合には、基端側のフレーム片に沿ってロッドの自由端を動かすように操作するだけでよく、ロッドの長さに応じてクロスリンクの最長ストロークの辺を備えた正方形状または長方形状の四角形伸縮フレームを適宜容易に形成できる。
【００２３】
その際には、フレーム形状は伸縮する方向と直交する方向には変形せず、対向する一対のフレーム片の間隔のみを調整して、所要の大きさで四角形フレームを形成できる。
これによって建築物の支持や工作物の構成要素に用いられる四角形伸縮フレームの大きさの調整を容易にし、例えば壁際にすき間なく四角形伸縮フレームを設置することも容易にでき、かつ高所作業であっても基端側から安全に行なえる。
【００２４】
また、一対のフレーム片の間隔を最大にする場合には、所定長さのロッドが前記一対のフレームに対して直交状に配置されるまで、ロッドの自由端を動かせばよく、この状態ではクロスリンク機構の伸縮方向に対する縮み変形に対する抵抗力が最も高くなるので、最大の四角形状は安定する。
【００２５】
そして、この状態でロッドを他の部材に固定するか、または隣接する同形状の四角形フレームに対して周知のジョイント金具などで固定することにより、より確実に四角形状を安定させる。
【００２６】
隣接する同形状の四角形フレームとしては、上記のように構成される四角形伸縮フレームの１以上を構成単位とし、所要単位を連結して所要長さに構成してもよく、他の部材と混成してもよく伸縮性工作物に用いる構造フレームユニットとして、上記した四角形伸縮フレームを様々な工作物にも利用できる。
【００２７】
伸縮性工作物に用いる構造フレームユニットの前記伸縮性工作物の一例としては、吊り足場の他にも、伸縮させながら間口を開閉可能な門扉（ゲート）などが挙げられる。
【考案の効果】
【００２８】
この考案は、建築物の支持や工作物の構成要素に用いられる四角形伸縮フレームにおいて、一対のフレーム片をクロスリンク機構及び所定長さのロッドで連結し、このロッドの自由端をフレーム片に沿ってスライドさせることによって前記一対のフレーム片同士の間隔を調整可能としたので、フレーム同士の間隔調整を、極めて少ない作業量で容易かつ安全に行なえるという利点がある。
【００２９】
また、所要数の四角形伸縮フレームを構成単位として用いれば、吊り足場や門扉などの工作物を容易に作ることができ、伸縮性工作物に用いる構造フレームユニットという新たな用途を加えることにより汎用性を高めることができる。
【図面の簡単な説明】
【００３０】
【図１】第１実施形態の四角形伸縮フレームを示す斜視図
【図２】第１実施形態の四角形伸縮フレームの最も縮んだ状態を示す斜視図
【図３】第１実施形態の四角形伸縮フレームの最も伸びた状態を示す斜視図
【図４】第２実施形態の四角形伸縮フレームを示す斜視図
【図５】第３実施形態の吊り足場に用いる構造フレームユニットの使用状態の説明図
【図６】第４実施形態の門扉に用いる構造フレームユニットの使用状態の説明図
【図７】従来の四角形伸縮性フレームの正面図
【図８】従来の吊り足場の組み立て作業の説明図
【考案を実施するための形態】
【００３１】
この考案の実施形態を以下に添付図面に基づいて説明する。
図１〜３に示すように、第１実施形態の四角形伸縮フレームＡは、比較的軽量なアルミ合金や鋼合金または比較的強度の高い合成樹脂もしくは周知の建材、またはこれらを複合した角型の棒状及び板状の素材を組み合わせたものからなり、一対の同じ長さのフレーム片１、２を平行に配置し、これらの一端にＸ字状に重ねて回動可能なピン３でリンクさせた２本のリンクアーム４、５の固定端を回転自在にピン３で支持し、前記一対のフレーム片１、２の長手方向にそれぞれ形成したスリット状の長穴１ａ、２ａに、クロスリンクさせたリンクアームリンクアーム４、５の自由端と一体に設けたピン４ａ、５ａをスライド自在に支持したクロスリンク機構を備えており、さらにクロスリンク機構の伸縮方向に基端側のフレーム片１と先端側のフレーム片２とを連結する所定長さのロッド６を備えている。
【００３２】
ロッド６は、一対の板状素材からなり、先端側のフレーム片２の長手方向におけるリンクアーム５の固定端とは反対側の他端に、ロッド６の固定端を回転自在にピン６ａで支持させると共に、基端側のフレーム片１の他端から一端方向に延びる長穴１ｂにロッド６の自由端をピン６ｂでスライド可能に支持させ、ロッド６の自由端を長穴１ｂに沿ってスライドさせることにより、一対のフレーム片１、２同士の間隔を調整可能である。
【００３３】
図２に示すように、クロスリンク機構を最も縮めた状態では、平行に配置される一対のフレーム片１、２同士は、ほぼ全体が接触して一本の棒状になり、四角形伸縮フレームＡの保管や持ち運びが容易になる。
【００３４】
必要に応じて一対のフレーム片１、２同士の間隔を広げるには、基端側のフレーム片１の長穴１ｂに沿ってロッド６の自由端のピン６ｂをスライドさせることにより、ロッド６の自由端を固定端のピン６ａの周りに、図１中の矢印方向に回転させるようにして、クロスリンク機構を伸ばすようにする。なお、前記長穴１ａ、２ａおよび長穴１ｂはスリット状に貫通するものを図示したが、非貫通の溝状であってもよい。
【００３５】
このようにすると、図２に示す状態から、図１に示す状態を経て、図３に示される状態に、クロスリンク機構を可及的に長く伸ばして所定長さのロッド６と略同じ長さの辺を有する方形状の四角形伸縮フレームに変形できる。
【００３６】
図４に示す第２実施形態の四角形伸縮フレームＡ´は、所定長さのロッド７の長さが、第１実施形態に用いたロッド６の長さより短く、クロスリンク機構を可及的に長く伸ばしても第１実施形態よりも小さな面積の方形状の四角形伸縮フレームＡ´を設けることができる。
【００３７】
このような第２実施形態の四角形伸縮フレームＡ´は、第１実施形態のものに比べてフレーム内の空隙部分が少ないので、フレームの厚み方向に機械的な強度の高い四角形伸縮フレームＡ´を構成することができる。
【００３８】
図５に示すように、第３実施形態は、第１実施形態の四角形伸縮フレームＡを、吊り足場を構成する用途で使用した構造フレームユニットの実施形態である。
【００３９】
吊り足場の組み立てを行なう作業者Ｍは、予め安全な作業位置で、天井部等の上方から吊り下げられたチェーン８などで適宜に支持しながら、吊り足場用の伸縮性工作物用構造フレームユニットである四角形伸縮フレームＡを複数隣接させるように設置し、吊り足場の面積を広げることができる。
【００４０】
その場合、クロスリンク機構を最も縮めた状態で保管されているフレーム片１、２同士の間隔を広げるには、バールなどの棒状工具で基端側のフレーム片１の長穴１ｂに沿ってロッド６の自由端をスライドさせることにより、クロスリンク機構を伸ばして一対のフレーム片１、２同士の間隔を広げるようにして四角形伸縮フレームＡを広げることができる。
【００４１】
このとき、対向する一対のフレーム片１、２同士の間隔のみを広狭に調整してフレーム形状は伸縮する方向と直交する方向には変形しないので、壁際にすき間なく四角形伸縮フレームを設置することが容易にできる。
【００４２】
また、隣接する構造フレームユニットに対し、周知のジョイント金具１０等を用いて、吊り足場の全体が一体になるように連結し、必要に応じて天井などの建物の構造物から吊り下げられたチェーン８で適切な箇所の支持を行ないながら、安全に吊り足場を形成することができる。
【００４３】
その後、隣接する既設の構造フレームユニットである四角形伸縮フレームＡと同じ長さに設置し、その上にパネル９を敷設する。
このようにすると、作業者Ｍは、常に安全な場所で四角形伸縮フレームの大きさ調整を行なうことができ、しかもその設置作業を容易に行なうことができる。
【００４４】
図６に示すように、この考案の第４実施形態の伸縮性工作物に用いる構造フレームユニットは、第２実施形態の四角形伸縮フレームＡ´を、門扉として引き戸及び開き戸のように、スライド移動自在に開閉できるゲートＢの構成単位として用いたものである。
【００４５】
図示したゲートＢは、第２実施形態の四角形伸縮フレームＡ´における一対のフレーム片１，２を、ロッド７の固定端が上部に配置されるように直立状に配置し、一対のフレーム片１、２のそれぞれ下端面にはキャスター１１を設けたものを構成単位とし、開閉対象の間口に必要であれば各構造フレームユニットを周知のジョイント金具を用いて連結し、所要の長さで構成することができる。
【００４６】
このようなゲートＢは、開閉に必要な単位数の四角形伸縮フレームＡ´を用いて構成され、ロッド７の自由端を上下方向にスライドさせることにより、クロスリンク機構を伸ばして門扉を閉じ、またはクロスリンク機構を縮めて門扉を開けることができ、様々な門扉の大きさや形状に対応させて適用できるので、非常に実用性が高い。
【産業上の利用可能性】
【００４７】
この考案の四角形伸縮フレーム及び伸縮性工作物に用いる構造フレームユニットは、建築物の床面や壁面の構成単位、またはそれらの支持部品、門扉や囲い、手すり、工事用の足場の構成部品、吊り足場、安全用の手すり、階段等の工作物またはそれらの支持部品などにも使用可能であり、様々な産業上の用途に汎用性がある。
【符号の説明】
【００４８】
１、２  フレーム片
１ａ、１ｂ、２ａ  長穴
３、４ａ、５ａ、６ａ、６ｂ  ピン
４、５  リンクアーム
６、７  ロッド
８  チェーン
９  パネル
１０  ジョイント金具
１１  キャスター
１２  床板
１３  天板
１４  板状フレーム
１５  回転軸
１６  油圧シリンダ
１７  トラス構造体
１８  連結部材
１９  ワイヤー
Ａ、Ａ´  四角形伸縮フレーム
Ｂ  ゲート
Ｃ  四角形フレーム
Ｍ  作業者
【図１】
0003235464.tif 000003
【図２】
0003235464.tif 000004
【図３】
0003235464.tif 000005
【図４】
0003235464.tif 000006
【図５】
0003235464.tif 000007
【図６】
0003235464.tif 000008
【図７】
0003235464.tif 000009
【図８】
0003235464.tif 000010